(57)【要約】【課題】  連続体を操作する場合に操作方向を容易に知ることができるようにする。【解決手段】  紐，ケーブル等の連続体に操作方向を示す短いマークを間隔を置いて形成する。また、もう一つの解決手段として操作方向を示すマークが形成され、管軸に斜交する開口部が形成された管状の操作方向指示補助具を連続体に取り付ける。さらに、回転体に操作方向を示すマークを間隔を置いて形成する。さらにまた、操作方向を示すマークが形成された操作方向指示具を回転体に取り付ける。【選択図】  図４
2005299379.tif 000002
【特許請求の範囲】
【請求項１】
操作方向を示す短い第１マーク部、操作方向を示す短い第２マーク及び長い無マーク部が繰り返して形成された、ブラインド操作用紐。
【請求項２】
操作者が認識しうる適当な位置に第１マーク部及び第２マーク部が形成された、ブラインド操作用紐。
【請求項３】
管状体であり、管軸方向に操作方向を示すマークが形成され、管軸と斜交する方向に開口部が形成され、ブラインド操作用紐に遊嵌状態で取り付けられるブラインド操作用紐補助具。
【発明の詳細な説明】
【技術分野】
【０００１】
本発明は、ブラインド操作用紐等の長尺体の方向表示に関するものである。
【背景技術】
【０００２】
ブラインド操作用紐には、環状に連続したものが使用されている。
図１に示したのは、従来の環状のブラインド操作用紐である。
ブラインド操作用紐１は環状に構成されており、ブラインド操作用紐上部２はブラインドの操作部に結合され、ブラインド操作用紐下部３は使用者が操作するために自由になっている。
【０００３】
ブラインドの開閉操作をするためには、ブラインド操作用紐１を引かなければならないが、その方向が図１に矢印で示したようにＯ(Open)方向に引けば開き、Ｃ(Close)方向に引けば閉じるとしても、使用者には操作方向について何の手掛かりもないため、Ｏ側とＣ側の両方に引いて、必要な方向を判断していた。
このような操作をせざるを得ないことは、使用者にとって非常に不便である。
【０００４】
また、電気的接続をする様々なケーブル類を使用する場合に、ケーブルが短かければケーブルの接続方向を容易に確認することができるが、長い場合にはケーブルのどの方向の端部が所望の装置に接続されているのか判断できない。
【０００５】
さらに、回転運動体は無限の長さを有する連続体と見ることも出来るが、環状体を回転させることによって何らかの操作を行う場合に、必要な回転方向を知ることは必ずしも容易ではなかった。
【０００６】
特開２０００−２０６６号公報に、図２に示す構成のルーバー操作用紐４が示されている。この操作紐４には、第１マーク部５，第２マーク部６及び無マーク部７，８，９，１０がこの順で形成されている。
【０００７】
第１マーク部５と第２マーク６は短く、無マーク部７は長く形成されている。
また、第１マーク部５と第２マーク部６は隣接して形成され、第２マーク部６と次の第１マーク部５の間の間は無マーク部７〜１０を挟んで離れて形成されている。
【０００８】
第１マーク部５と第２マーク部６は、例えばブラインドを開くために引くべき方向を示す第１マーク部５が白色に着色され、閉めるために引くべき方向を示す第２マーク部６は黒色に着色されている。なお、無マーク部７〜１０は、操作用紐４本来の色、例えば灰色に着色されている。
【０００９】
このブラインド操作用紐４を操作しルーバーを光が入る方向に向けるには、明るくするために引くべき方向を示す白色の第１マーク部５に隣接している灰色の無マーク部９をＯ方向に引く。光が入らない方向に向けるには、暗くするために引くべき方向を示す黒色の第２マーク部６に隣接している灰色の無マーク部７をＣ方向に引く。
【００１０】
この操作用紐４は第１マーク部５と第２マーク６はある程度の長さを有しているため、本来目立ってはならない操作用紐４の存在が目立つ。
【００１１】
また、既設のブラインドの操作用紐４に第１マーク部５と第２マーク６を後から設けることは困難であり、第１マーク部５と第２マーク６を有する操作用紐４を既設の操作用紐と交換することは手間を要する作業である。
【００１２】
ブラインド操作用紐の操作方向を表示する手段として、ブラインド操作用紐１をそのまま使用し、操作方向を知ることができる補助具が公開実用新案公報昭６１−１１８９４に示されている。
【００１３】
図３に示すこの補助具１１は、ブラインド操作用紐１に遊嵌された管状体であり、例えば黄色に着色された第１マーク部１２と黒色に着色された第２マーク部１３から構成されている。
【００１４】
補助具１１はブラインド操作用紐１に遊嵌されているため、常時ブラインド操作用紐１の再下端部にある。
この補助具が取り付けられたブラインド操作用紐１を操作しブラインドを開くには、開くために引くべき方向を示す黄色に着色された第１マーク部１２側の紐１４を引き、閉めるには閉めるためにに引くべき方向を示す黒色に着色された第２マーク部１３側の紐１５を引く。
【００１５】
既設のブラインドの操作用紐４に補助具１１を後から取り付けることは手間を要する作業である。
【００１６】
【特許文献１】特開２０００−２０６６号公報
【特許文献２】公開実用新案公報昭６１−１１８９４号公報
【発明の開示】
【発明が解決しようとする課題】
【００１７】
本出願に係る発明は、操作方向を容易に知ることができるにもかかわらず、その存在が目立つことのない操作用紐を提供することを課題とする。
【００１８】
また、既設のブラインドの操作用紐にもそれほどの手間を要することなく操作方向表示部を設けることができる操作用紐の補助具を提供することを課題とする。
【課題を解決するための手段】
【００１９】
本出願に係る発明においてはこの課題を解決するために、紐，ケーブル等の連続体に操作方向を示す短い第１マーク及び第２マークを間隔を置いて形成する。
【００２０】
また、ブラインド操作用紐の操作者が認識しうる適当な位置に第１マーク部及び第２マーク部を形成する。
【００２１】
さらに、もう一つの解決手段として操作方向を示すマークが形成された操作方向指示補助具に操作用紐に取り付けるための斜めの開口部を形成する。
【発明の効果】
【００２２】
本発明の構成により、目立つことなく操作方向が明確に表示され、使用者が操作方向，回転方向あるいはケーブル等の接続方向を容易に把握することができる。
【００２３】
また、既設のブラインドの操作用紐にもそれほどの手間を要することなく操作方向表示部を設けることができる。
【発明を実施するための最良の形態】
【００２４】
図４〜図７を用いて、発明を実施するための最良の形態を説明する。
【実施例１】
【００２５】
図４に、図１に示した従来のブラインド操作用紐と同様の操作機能を有する本発明の第１実施例であるブラインド操作用紐２４を示す。このブラインド操作用紐２４には、第１マーク部２５，第２マーク部２６及び無マーク部２７，２８，２９，３０がこの順で形成されている。
【００２６】
第１マーク部２５と第２マーク部２６は隣接して形成され、第２マーク部２６と次の第１マーク部２５の間の間は無マーク部２７〜３０を挟んで離れて形成されている。
【００２７】
第１マーク部２５と第２マーク２６は極めて短く、無マーク部２７は長く形成されている。例えば第１マーク部２５は無マーク部２７，２８，２９，３０と同系色より明るい色の糸を縫い込んで数回〜十数回巻き付けることにより極めて短く形成され、第２マーク部２６は無マーク部２７，２８，２９，３０と同系色より暗い色の糸を縫い込んで固定し、数回〜十数回巻き付けることにより極めて短く形成されている。
【００２８】
このブラインド操作用紐２４を操作しブラインドを開くには、引くべき方向を示す明るい色の第１マーク部２５に隣接している無マーク部２９をＯ(Open)方向に引き、ブラインドを閉めるには、引くべき方向を示す暗い色の第２マーク部２６に隣接している無マーク部２７をＣ(Close)方向に引く。
【００２９】
無マーク部２９の長さは使用者が認識できる適切な長さ、例えば３０cm〜１００cm等の長さに設定する。
【００３０】
このようにして、第１マーク部２５と無マーク部２９との配列関係、あるいは第２マーク部２６と無マーク部２７との配列関係を見るだけで、ブラインドを操作するためにブラインド操作用紐２４の引くべき部分を容易に判断することができる。
【００３１】
また、第１マーク部２５と第２マーク２６は極めて短く、無マーク部２７は長く形成されているため、第１マーク部２５及び第２マーク２６が目立つことはない。
さらに、第１マーク部２５と第２マーク２６を無マーク部２７，２８，２９，３０と同系色の明るい色と暗い色とで構成することにより、より目立たなくなる。
【実施例２】
【００３２】
図５に、図２に示した従来のルーバー操作用紐より優れた操作機能を有する本発明の第２実施例であるブラインド操作用紐３０を示す。このブラインド操作用紐３０には、操作者が認識しうる適当な位置に第１マーク部３１及び第２マーク部３２が形成されている。
【００３３】
この図に示すのは、ルーバーは鉛直方向に設置され、いいかえればルーバーは左方向からの光を取り入れる状態及び右方向からの光を取り入れる状態に操作されるブラインドに適用する場合の最も好ましい実施例であり、（ａ）は左方向からの光を取り入れるようにブラインド操作用紐３０が操作された状態、（ｃ）は右方向からの光を取り入れるようにブラインド操作用紐３０が操作された状態、（ｂ）は正面からの光を取り入れるようにブラインド操作用紐３０が操作された状態である。
【００３４】
第２マーク部３２は、（ａ）に示すように、左方向からの光を取り入れるように操作されたときに最下部になる位置に形成されている。
【００３５】
第１マーク部３１は、（ｃ）に示すように、右方向からの光を取り入れるように操作されたときに最下部になる位置に形成されている。
【００３６】
このように構成すると、（ｂ）に示すような状態にすると、ルーバーの向きは中立の状態になり、正面からの光を取り入れることができる。
【００３７】
この（ａ），（ｂ），（ｃ）の操作例から理解されるように、上にあるマークを引き下げることによりルーバーの状態が変化することが操作者に極めて容易に把握される。
【００３８】
この図に示す第１マーク部３１と第２マーク３２の位置は、最も好ましい形態であるが、第１マーク部３１と第２マーク３２の位置はこれ以外どのような位置であってもかまわない。
【００３９】
第１マーク部３１と第２マーク３２は極めて短く形成されている。例えば第１マーク部３１は無マーク部３０と同系色より明るい色の糸を縫い込んで固定し、数回〜十数回巻き付けることにより極めて短く形成され、第２マーク部３２は無マーク部３０と同系色より暗い色の糸を縫い込んで固定し、数回〜十数回巻き付けることにより極めて短く形成されている。
【００４０】
言うまでもないが、この操作紐はルーバーが水平方向に設置され、いいかえればルーバーは上方向からの光を取り入れる状態及び上方向からの光を取り入れない状態に操作されるブラインドに適用可能である。
【実施例３】
【００４１】
図６に、ブラインド操作用紐に使用する従来の図３に示した操作用紐補助具の有する後から取り付けることの困難性を解消した新規な操作用紐補助具の実施例を示す。
【００４２】
この操作用紐補助具３５は従来の補助具と同様に操作用紐１に遊嵌された管状体であり、例えば黄色に着色された第１マーク部３６と黒色に着色された第２マーク部３７から、構成されている。
【００４３】
操作用紐補助具３５はこの構成に加えて、管軸と斜交して管体に形成された開口部３８が形成されている。
開口部３８の巾は操作用紐１の太さよりも少し小さい。
【００４４】
操作用紐補助具３５は操作用紐１に遊嵌されているため、常時ブラインド操作用紐１の下部にある。
この操作用紐補助具３５が取り付けられた操作用紐１を操作しブラインドを開くには、開くために引くべき方向を示す黄色に着色された第１マーク部３６側の紐１４を引き、閉めるには閉めるためにに引くべき方向を示す黒色に着色された第２マーク部３７側の紐１５を引く。
【００４５】
操作用紐補助具３５には、操作用紐１の太さよりも少し小さい大きさの開口部３８が形成されているため、この開口を介して操作用紐補助具３５を操作用紐１に容易に取り付けることができる。また、その開口は管軸と斜交して管体に形成されているため、紐から脱落することはない。
【実施例４】
【００４６】
図７に、回転体に適用する実施例を示す。
この図に示す回転体１６には黄色に着色された第１マーク部１８と黒色に着色された第２マーク部１９からなるマーク部１７が適宜な間隔を開けて形成されている。
マーク部１７の大きさはマーク部が形成されていない他の部分と比較して十分に小さい。
【００４７】
この回転体１６を操作するときには、例えば何かを開くときには、開くために回すべき方向を示す黄色の第１マーク部１８の方向に回転体１６を回し、閉めるときには、閉めるために回すべき方向を示す黒色の第２マーク部１９の方向に回転体１６を回す。
【００４８】
このようにして、マーク１７の第１マーク部１８と第２マーク部１９の配列関係を見るだけで、操作するために回転させる方向容易に判断することができる。
【００４９】
このマーク１７は実施例に示したような色彩による他に、適宜な凹凸によって形成すれば、視覚障害者でも容易に回転方向を判断することが出来る。
【００５０】
また、ハンドルを回転させることによって操作する場合には、ハンドルの上に同様なマークを設ける。
【産業上の利用可能性】
【００５１】
以上説明したことから明らかなように、本発明は環状体あるいは回転体の操作方向をきわめて簡単な構成によって知らせることが可能であり、きわめて有用である。
【００５２】
ブラインド操作用紐は環状のいわば無限の長さを有しているが、この構成は有限な長さを有している各種電気装置のケーブル等にも適用可能であり、テレビジョンスタジオ等で副調整卓の主装置とテレビジョンカメラ等の副装置を接続した場合に接続ケーブルのどちら側にどの装置が接続されているかを容易に判断することができる。
【００５３】
例示した色彩は一例であって、識別可能な任意の色が使用可能である。
また、この様な構成は実施例に示した円筒状の紐以外にも、平板上のベルトのようなものにも適用可能である。
【図面の簡単な説明】
【００５４】
【図１】従来技術の説明図。
【図２】他の従来技術の説明図。
【図３】さらに他の従来技術の説明図。
【図４】本発明第１実施例の説明図。
【図５】本発明第２実施例の説明図。
【図６】本発明第３実施例の説明図。
【図７】本発明第４実施例の説明図。
【符号の説明】
【００５５】
１，４  ブラインドの開閉操作用紐
２  ブラインドの開閉操作用紐上部
３  ブラインドの開閉操作用紐下部
５，１２，１８，２５，３１，３６  第１マーク部
６，１３、１９，２６，３２，３７  第２マーク部
７，８，９，１０，２７，２８，２９，３０  無マーク部
１１，３５  補助具
１４  第１マーク部１２側の紐
１５  第２マーク部１３側の紐
１６  回転体
１７  マーク部
【図１】
2005299379.tif 000003
【図２】
2005299379.tif 000004
【図３】
2005299379.tif 000005
【図４】
2005299379.tif 000006
【図５】
2005299379.tif 000007
【図６】
2005299379.tif 000008
【図７】
2005299379.tif 000009